(57)【要約】【課題】足の裏のサンダルに対する滑りを防止して歩行性を向上させ、しかも、通気性を向上してむれを防止した履き心地のよい溝付きサンダルを提供することを目的とする。【解決手段】複数枚の短冊状帯部材１がメッシュ布２の一面に並列状に貼着されて隣り合う帯部材１，１の間に溝５が形成されてなる表皮部材３と、表皮部材３のメッシュ布２側が上面に貼着される底部本体４とを有する。【選択図】  図１
2004248871.tif 000002
【特許請求の範囲】
【請求項１】
複数枚の短冊状帯部材がメッシュ布の一面に並列状に貼着されて隣り合う帯部材の間に溝が形成されてなる表皮部材と、該表皮部材のメッシュ布側が上面に貼着される底部本体とを有することを特徴とする溝付きサンダル。
【請求項２】
上記複数枚の帯部材が、上記底部本体の前後方向に、並設されている請求項１記載の溝付きサンダル。
【請求項３】
複数枚の短冊状帯部材をメッシュ布の一面に並列状に貼着して隣り合う帯部材の間に溝が形成される表皮部材を作製し、その表皮部材のメッシュ布側を底部本体の上面に貼着することを特徴とする溝付きサンダルの製法。
【発明の詳細な説明】
【０００１】
【発明の属する技術分野】
本発明は、底部の上面（踏み面）に多数の溝が形成されている溝付きサンダル及びその製法に関する。
【０００２】
【従来の技術】
従来のサンダルでは、その底部の上面（即ち、足の裏と接触する面）が、平滑状に形成されていた（例えば、特許文献１参照）。
【０００３】
【特許文献１】
特開平９−５６４１５号公報
【０００４】
【発明が解決しようとする課題】
しかしながら、従来のサンダルでは、その上面が平滑状であるため、サンダルを履いたときに、足の裏を引っ掛ける作用がなく、歩行中において、足の裏がサンダル上面に対して滑りやすく、歩行し難いものとなっていた。また、足の裏がサンダル上面に密着するため、通気性が悪く、むれやすく、履き心地の悪いものとなっていた。
【０００５】
そこで、本発明は、足の裏のサンダルに対する滑りを防止して歩行性を向上させ、しかも、通気性を向上してむれを防止した履き心地のよい溝付き（タイル式）サンダル及びその製法を提供することを目的とする。
【０００６】
【課題を解決するための手段】
上述の目的を達成するために、請求項１に係る本願発明は、複数枚の短冊状帯部材がメッシュ布の一面に並列状に貼着されて隣り合う帯部材の間に溝が形成されてなる表皮部材と、該表皮部材のメッシュ布側が上面に貼着される底部本体とを有することを特徴としている。
【０００７】
請求項１の構成によれば、サンダル底部の上面に複数の溝が形成されることとなるので、その上面が粗い状態となり、サンダルを履いたときに、足の裏を巧妙に引っ掛け、歩行中において、足の裏がサンダル上面に対して滑り難く、歩行し易いものとなる。また、足の裏とサンダル上面との間は溝による隙間を有するため、通気性が良く、むれを防止し、履き心地のよいものとなる。
【０００８】
また、表皮部材と底部本体とを別部材にて構成しているため、一体もの（木型）から溝付きサンダルを作製するのに比べて、熟練を要さずに、容易に作製することができる。また、表皮部材における帯部材の大きさ、色、材質、配置等を、好みに応じて容易に変更することができ、応用範囲の広いものとなる。さらに、表皮部材を、底部本体の上面形状に、追従性よく、良好に貼着することができる。
【０００９】
また、請求項２に係る本願発明は、上記複数枚の帯部材が、上記底部本体の前後方向に、並設されていることを特徴としている。
【００１０】
請求項２の構成によれば、サンダル底部上面の溝を左右幅方向の横溝とでき、歩行中において、足の裏がサンダル上面に対して前後方向へ滑るのを防止し、一層歩行し易いものとなる。
【００１１】
また、請求項３に係る本願発明は、複数枚の短冊状帯部材をメッシュ布の一面に並列状に貼着して隣り合う帯部材の間に溝が形成される表皮部材を作製し、その表皮部材のメッシュ布側を底部本体の上面に貼着することを特徴としている。
【００１２】
請求項３の構成によれば、表皮部材と底部本体とを別部材にて作製しているため、一体もの（木型）から溝付きサンダルを作製するのに比べて、熟練を要さずに、容易に作製することができる。また、表皮部材における帯部材の大きさ、色、材質、配置等を、好みに応じて容易に変更することができ、応用範囲の広いものとなる。さらに、表皮部材を、底部本体の上面形状に、追従性よく、良好に貼着することができる。
【００１３】
【発明の実施の形態】
以下、実施の形態を示す図面に基づき、本発明を詳説する。
【００１４】
図１は、本発明の実施の一形態を示し、本発明の溝付きサンダルＳは、所定の厚みを有する平底状の底部６と、底部６の左右幅方向に付着されている足の甲に掛けるためのバンド７とを有している。なお、図１には、左足用のサンダルを示しており、右足用のサンダルも同様の構成とする。
【００１５】
底部６の上面（踏み面）には、複数本の左右方向の（横）溝５が前後方向に並列状に形成されている。具体的に述べると、底部６は、表側に溝５が形成されている表皮部材３と、表皮部材３の裏側が上面に貼着される底部本体４とからなる。なお、「左右方向」とは、本サンダルＳの幅方向をいい、「前後方向」とは、本サンダルＳのつま先・かかと方向をいう。
【００１６】
表皮部材３は、図１と図２に示すように、複数枚の（左右方向の）短冊状帯部材１がメッシュ布２の一面に（前後方向に）並列状に貼着されてなる。
帯部材１は、例えば、竹等の木製又は合成樹脂製であって、横断面長円形状（又は偏平楕円形状）に形成されており、隣り合う帯部材１，１の間に溝５が形成される。
メッシュ布２は、例えば、ビニル樹脂、ビニル繊維、綿、絹等からなり、図３（イ）に示すように、網目状に形成されている。なお、図２おいて、メッシュ布２は、帯部材１に比べて、実際より厚めに描かれている。
【００１７】
底部本体４は、例えば、木製又は合成樹脂製であって、その底面には、（ゴム製の）滑り止め部材８が貼着されている。そして、底部本体４の上面に、表皮部材３のメッシュ布２側が貼着される。
【００１８】
このように構成された本サンダルＳによれば、底部６の上面に複数の（横）溝５が形成されることとなるので、底部６上面が粗面となって、足の裏が底部６上面に対して前後方向へ滑り難くなり、歩行し易いものとなる。また、足の裏と底部６上面との間は溝５による隙間を有するため、通気性が良く、むれを防止し、履き心地のよいものとなる。さらに、底部６上面の凹凸状態により、足の裏のつぼを刺激し、マッサージ効果を有する。
【００１９】
また、表皮部材３と底部本体４とを別部材にて構成しているため、一体もの（木型）から溝を刻設して溝付きサンダルを作製するのに比べて、熟練を要さずに、容易に作製することができる。また、表皮部材３における帯部材１の大きさ、色、材質、配置等を、好みに応じて容易に変更することができ、応用範囲の広いものとすることができる。
【００２０】
さらに、表皮部材３は、前後方向の曲げ変形が可能となるように構成されているため、表皮部材３を、底部本体４の上面形状に、追従性よく、良好に貼着することができる。
【００２１】
次に、本サンダルＳの製造方法を説明する。
【００２２】
まず、図３（イ）の平面図に示すように、平面視サンダルよりも大きな矩形状のメッシュ布２を広げ、図３（ロ）の平面図に示すように、そのメッシュ布２の一面に、複数枚の短冊状（細長状）帯部材１を前後方向に並列状に隙間なく接着剤にて貼着して、隣り合う帯部材１，１の間に溝５が形成される中間部材９を作製し、その後、その中間部材９を、平面視サンダルと略同一形状に切り取って、図３（ハ）の平面図に示すように、サンダル底部上面となる表皮部材３を作製する。そして、図３（ニ）の側面図に示すように、その表皮部材３のメッシュ布２側を底部本体４の上面に接着剤にて貼着して、図１に示す本サンダルＳを作製する。
【００２３】
このように、表皮部材３と底部本体４とを別部材にて作製しているため、一体もの（木型）から溝を凹設して溝付きサンダルを作製するのに比べて、熟練を要さずに、容易に作製することができる。また、表皮部材３における帯部材１の大きさ、色、材質、配置等を、好みに応じて容易に変更することができる。
【００２４】
次に、図４に他の実施の形態を示し、本サンダルＳを、かかとを有するヒールタイプとしてもよく、その他、図示省略するが、下駄、草履のタイプとしてもよい。
【００２５】
次に、図５は、帯部材１の横断面図を示し、この帯部材１は、複数本の竹ひご（竹串）１０と、該竹ひご１０を一括りに覆う竹肉１１とから構成されている。このように、帯部材１の表皮を別部材の竹肉１１とすることで、仕上げの（ニス等の）塗料、及び、接着剤の乗りをよくする。
なお、帯部材１を、一本の竹を短冊状に切り取って形成してもよい。また、帯部材１の横断面形状を、図６（イ）に示すように円形としてもよく、若しくは、図６（ロ）に示すように台形としてもよい。
【００２６】
なお、本発明は上述の実施の形態に限定されず、本発明の要旨を逸脱しない範囲で設計変更可能である。例えば、図示省略するが、表皮部材３における帯部材１の幅寸法を、場所により、相違させてもよく、つま先側の帯部材１の幅寸法を狭くして、一層滑りを防止するようにしてもよい。また、前後方向縦長の帯部材１を、左右方向に並設して、底部６上面の溝５を縦溝としてもよく、弾力性のあるサンダルとできる。
【００２７】
【発明の効果】
本発明は、上述の如く構成されるので、次に記載する効果を奏する。
【００２８】
▲１▼  （請求項１によれば、）複数本の溝５により、サンダル上面に対する足の滑りを防止し、歩行し易いものとなる。また、通気性が良く、むれを防止し、履き心地のよいものとなる。さらに、表皮部材３と底部本体４とを別部材にて構成しているため、溝付きサンダルを容易に作製でき、しかも、表皮部材３の設計変更が容易となり、所望の溝付きサンダルを簡単に作製することができる。さらに、曲げ変形可能な表皮部材３を底部本体４に、追従性よく、良好に貼着することができ、仕上がりが良好となる。
▲２▼  （請求項２によれば、）溝５を横溝とでき、サンダル上面に対する前後方向の足の滑りを防止し、一層歩行し易いものとなる。
▲３▼  （請求項３によれば、）表皮部材３と底部本体４とを別部材にて作製しているため、溝付きサンダルを容易に作製でき、しかも、表皮部材３の設計変更が容易となり、所望の溝付きサンダルを簡単に作製することができる。さらに、曲げ変形可能な表皮部材３により、底部本体４への貼着を容易に行うことができる。
【図面の簡単な説明】
【図１】本発明の実施の一形態を示す斜視図である。
【図２】図１の要部拡大縦断面図である。
【図３】本発明の製法を示す作用説明図である。
【図４】本発明の他の実施形態を示す側面図である。
【図５】帯部材の横断面図である。
【図６】帯部材の他の実施形態を示す簡略横断面図である。
【符号の説明】
１  帯部材
２  メッシュ布
３  表皮部材
４  底部本体
５  溝
【図１】
2004248871.tif 000003
【図２】
2004248871.tif 000004
【図３】
2004248871.tif 000005
【図４】
2004248871.tif 000006
【図５】
2004248871.tif 000007
【図６】
2004248871.tif 000008